(57)【特許請求の範囲】
【請求項１】
装置本体の正面に設けられた撮影レンズであって、被写体をマクロ撮影可能な撮影レンズと、該撮影レンズにより被写体像が結像される撮像素子と、を有する撮像手段と、
前記装置本体の背面に設けられ、前記撮像手段により撮像された被写体像を表示する表示手段と、
前記装置本体の背面に設けられ、前記装置本体の背面側の周辺の明るさを検出する明るさセンサと、
前記装置本体の正面に設けられた面発光手段と、
前記明るさセンサによって検出された明るさに基づいて、前記面発光手段の明るさと、前記装置本体の周辺の明るさとが略一致するように前記面発光手段を制御する制御手段と、を備え、
マクロ撮影時に光源と被写体との間に位置する前記装置本体に関わらず、被写体から見た周囲の明るさが変化しないようにしたことを特徴とする撮像装置。
【請求項２】
前記装置本体の背面に設けられ、前記装置本体の背面側の周辺の色を検出する色センサを備え、
前記制御手段は、前記色センサによって検出された色に基づいて、前記面発光手段の色と、前記装置本体の周辺の色とが略一致するように前記面発光手段を制御することを特徴とする請求項１に記載の撮像装置。
【請求項３】
前記面発光手段は、前記装置本体の正面全体を覆うように設けられたことを特徴とする請求項１又は２に記載の撮像装置。
【請求項４】
装置本体の正面に設けられた第１の撮影レンズであって、被写体をマクロ撮影可能な撮影レンズと、該第１の撮影レンズにより被写体像が結像される第１の撮像素子と、を有する第１の撮像手段と、
前記装置本体の背面に設けられ、前記第１の撮像手段により撮像された被写体像を表示する第１の表示手段と、
前記装置本体の背面に設けられた第２の撮影レンズと、該第２の撮影レンズにより前記装置本体の背面側の被写体像が結像される第２の撮像素子と、を有する第２の撮像手段と、
前記装置本体の正面に設けられた面状の第２の表示手段と、
前記第２の撮像手段により撮像された被写体像を前記第２の表示手段に表示させる表示制御手段と、を備え、
マクロ撮影時に光源と被写体との間に位置する前記装置本体に関わらず、被写体から見た周囲の風景が変化しないようにしたことを特徴とする撮像装置。
【請求項５】
前記第２の撮像手段は、前記装置本体の背面側の周辺の明るさを検出し、
前記表示制御手段は、前記第２の撮像手段によって検出された明るさに基づいて、前記第２の表示手段に表示された被写体像の明るさと、前記装置本体の周辺の明るさとが略一致するように前記被写体像の明るさを制御することを特徴とする請求項４に記載の撮像装置。
【請求項６】
前記第１の撮像手段により撮像された被写体と前記装置本体との距離を測定する測距手段と、
前記測距手段により測定された距離に基づいて、前記第２の表示手段に表示される被写体像の倍率を変更する制御手段と、
を備えたことを特徴とする請求項４又は５に記載の撮像装置。
【請求項７】
前記第２の表示手段は、前記第１の撮影レンズの周囲を囲むように前記装置本体の正面に設けられたことを特徴とする請求項４から６のいずれかに記載の撮像装置。
【請求項８】
前記第２の撮影レンズの中心と、前記第２の表示手段の中心とが略同一線上に配置されたことを特徴とする請求項４から７のいずれかに記載の撮像装置。
【請求項９】
前記第２の表示手段は、前記装置本体の正面全体を覆うように設けられたことを特徴とする請求項４から８のいずれかに記載の撮像装置。
【請求項１０】
装置本体の正面に設けられた撮像手段により前記装置本体の背面側の被写体像を撮像するステップと、
前記撮像された被写体像を記憶するステップと、
前記記憶された被写体像を、前記撮影手段の周囲を囲むように前記装置本体の正面に設けられた表示手段に表示するステップと、
を含むことを特徴とする撮像装置迷彩方法。
【発明の詳細な説明】
【技術分野】
【０００１】
本発明は撮像装置及び撮像装置迷彩方法に係り、特に装置本体を被写体に近づけて撮影を行う撮像装置及び撮像装置迷彩方法に関する。
【背景技術】
【０００２】
デジタルカメラなどの撮像装置を用いて撮影を行う場合において、撮像装置を被写体に近づけすぎて、被写体に撮像装置を意識させてしまうと、自然な撮影ができなくなるという問題がある。例えば、虫を被写体として撮影する場合に、撮像装置を虫にかざす（図１２（ａ）参照）と、虫から見た風景は図１２（ｂ）のようになる。すなわち、撮像装置や人の影が虫の視野に入ってしまう。このため、撮像装置を虫に近づけすぎると、虫が撮像装置に気がついて逃げてしまい、撮影ができなくなってしまう。
【０００３】
このような問題は、撮像装置を用いる場合に限らず、図１３に示すように、光学ルーペを用いて被写体を観察する場合においても発生する。例えば、光学ルーペを虫にかざす（図１３（ａ）参照）場合には、撮像装置の場合と異なり、撮像装置などの影が虫の視野に入ることは無い。しかしながら、図１３（ｂ）に示すように、虫から見て空間的な違和感が発生することにより、虫が光学ルーペに気がついて逃げてしまい、観察ができなくなってしまう。
【０００４】
これに対応するためには、以下のような技術を用いて、撮像装置の表面を被写体から気づかれにくい色や模様にすることが考えられる。
【０００５】
特許文献１には、電子ペーパに所望の色や模様を表示させた後、電子ペーパ内に封入されているマイクロ素子を固定したものを無地のプラスチック筐体の表面に貼り付けることにより、任意の模様や色の外装を持ったデジタルカメラを製造する発明が開示されている。
【０００６】
特許文献２には、外装筐体上面、裏面、両側面及びグリップ部が可撓性を有するシート状のフレキシブルＬＣＤで被覆されており、このフレキシブルＬＣＤに所定の模様、色を表示させることにより、任意にデジタルカメラ外観を変えることができる発明が開示されている。
【特許文献１】特開２００４―５６００４号公報
【特許文献２】特開２００８―３７０２号公報
【発明の開示】
【発明が解決しようとする課題】
【０００７】
しかしながら、特許文献１に記載の発明においては、ユーザが電子ペーパに表示される模様を自由に変えることはできない。
【０００８】
また、特許文献２に記載の発明においては、撮影した画像など任意の画像を表示することができるが、明るさや画像の大きさを自由に変えることはできない。
【０００９】
本発明はこのような事情に鑑みてなされたもので、撮像装置の色や明るさを撮像装置周辺の環境に合わせた色や明るさにすることにより、被写体から撮像装置を認識しづらくし、自然な撮影が可能な撮像装置及び撮像装置迷彩方法を提供することを目的とする。
【課題を解決するための手段】
【００１０】
前記目的を達成するために、請求項１に記載の撮像装置は、装置本体の正面に設けられた撮影レンズであって、被写体をマクロ撮影可能な撮影レンズと、該撮影レンズにより被写体像が結像される撮像素子と、を有する撮像手段と、前記装置本体の背面に設けられ、前記撮像手段により撮像された被写体像を表示する表示手段と、前記装置本体の背面に設けられ、前記装置本体の背面側の周辺の明るさを検出する明るさセンサと、前記装置本体の正面に設けられた面発光手段と、前記明るさセンサによって検出された明るさに基づいて、前記面発光手段の明るさと、前記装置本体の周辺の明るさとが略一致するように前記面発光手段を制御する制御手段と、を備え、マクロ撮影時に光源と被写体との間に位置する前記装置本体に関わらず、被写体から見た周囲の明るさが変化しないようにしたことを特徴とする。
【００１１】
請求項１に記載の撮像装置によれば、装置本体の背面には、装置本体の背面側の周辺の明るさを検出する明るさセンサが設けられており、装置本体の正面には、被写体を撮像する撮影レンズと、任意の明るさで発光可能な面発光部材とが設けられている。明るさセンサによって検出された明るさに基づいて、面発光部材の明るさと、装置本体の周辺の明るさとが略一致するように面発光部材が発光制御される。これにより、被写体上に撮像装置による影ができたり、面発光部材により被写体が照らされたりすること無く、被写体から見て略同じ明るさで面発光部材を発光させることができる。したがって、被写体の上にデジタルカメラをかざして撮影をした場合においても、被写体に与える違和感が少なくなり、被写体からデジタルカメラを認識しづらくすることができる。そのため、このデジタルカメラを用いることで、自然なマクロ撮影が可能となる。
【００１２】
請求項２に記載の撮像装置は、請求項１に記載の撮像装置において、前記装置本体の背面に設けられ、前記装置本体の背面側の周辺の色を検出する色センサを備え、前記制御手段は、前記色センサによって検出された色に基づいて、前記面発光手段の色と、前記装置本体の周辺の色とが略一致するように前記面発光手段を制御することを特徴とする。
【００１３】
請求項２に記載の撮像装置によれば、装置本体の背面には、装置本体の背面側の周辺の色を検出する色センサが設けられており、装置本体の正面には、被写体を撮像する撮影レンズと、任意の色及び明るさで発光可能な面発光部材とが設けられている。色センサによって検出された色に基づいて、面発光部材の色と、装置本体の周辺の色とが略一致するように、面発光部材が発光制御される。これにより、被写体から見て略同じ色及び明るさで面発光部材を発光することができる。
【００１４】
請求項３に記載の撮像装置は、請求項１又は２に記載の撮像装置において、前記面発光手段は、前記装置本体の正面全体を覆うように設けられたことを特徴とする。
【００１５】
請求項３に記載の撮像装置によれば、面発光部材が装置本体の正面全体を覆うため、被写体の上にデジタルカメラをかざして撮影をした場合においても、被写体に与える違和感が少なくなり、被写体からデジタルカメラを認識しづらくすることができる。
【００１６】
請求項４に記載の撮像装置は、装置本体の正面に設けられた第１の撮影レンズであって、被写体をマクロ撮影可能な撮影レンズと、該第１の撮影レンズにより被写体像が結像される第１の撮像素子と、を有する第１の撮像手段と、前記装置本体の背面に設けられ、前記第１の撮像手段により撮像された被写体像を表示する第１の表示手段と、前記装置本体の背面に設けられた第２の撮影レンズと、該第２の撮影レンズにより前記装置本体の背面側の被写体像が結像される第２の撮像素子と、を有する第２の撮像手段と、前記装置本体の正面に設けられた面状の第２の表示手段と、前記第２の撮像手段により撮像された被写体像を前記第２の表示手段に表示させる表示制御手段と、を備え、マクロ撮影時に光源と被写体との間に位置する前記装置本体に関わらず、被写体から見た周囲の風景が変化しないようにしたことを特徴とする。
【００１７】
請求項４に記載の撮像装置によれば、装置本体の背面には、装置本体の背面側の被写体像を撮影する第２の撮像手段の撮像レンズと、第１の撮像手段により撮像された被写体像を表示する第１の表示手段が設けられており、装置本体の正面には、被写体を撮像する第１の撮影光学系の撮影レンズと、第２の撮像手段により撮像された被写体像を表示する第２の表示手段とが設けられている。これにより、撮像装置の色や明るさなどの外観を周辺環境に合わせ、被写体から気づかれにくい背景を作り出すことができる。したがって、被写体の上にデジタルカメラをかざして撮影をした場合においても、被写体に与える違和感が少なくなり、被写体からデジタルカメラを認識しづらくすることができる。そのため、この撮像装置を用いることで、自然なマクロ撮影が可能となる。
【００１８】
請求項５に記載の撮像装置は、請求項４に記載の撮像装置において、前記第２の撮像手段は、前記装置本体の背面側の周辺の明るさを検出し、前記表示制御手段は、前記第２の撮像手段によって検出された明るさに基づいて、前記第２の表示手段に表示された被写体像の明るさと、前記装置本体の周辺の明るさとが略一致するように前記被写体像の明るさを制御することを特徴とする。
【００１９】
請求項５に記載の撮像装置によれば、第２の表示手段に表示された被写体像の明るさと、装置本体の周辺の明るさとが略一致するように、第２の撮像手段によって検出された装置本体の背面側の周辺の明るさに基づいて第２の表示手段に風景画像が表示される。これにより、デジタルカメラの色や明るさなどの外観をより正確に周辺環境に合わせることができる。
【００２０】
請求項６に記載の撮像装置は、請求項４又は５に記載の撮像装置において、前記第１の撮像手段により撮像された被写体と前記装置本体との距離を測定する測距手段と、前記測距手段により測定された距離に基づいて、前記第２の表示手段に表示される被写体像の倍率を変更する制御手段と、を備えたことを特徴とする。
【００２１】
請求項６に記載の撮像装置によれば、第１の撮像手段により撮像された被写体と装置本体との距離に基づいて、第２の表示手段に表示される被写体像の倍率が変更される。例えば、第２の撮像手段により風景画像が撮影された場合には、被写体の位置から見た場合において、第２の表示手段に表示された被写体像と、撮像装置周辺の風景画像とが連続性を有するように、第２の表示手段に表示される被写体像の倍率が変更される。これにより、被写体の上に撮像装置をかざして撮影をした場合においても、被写体に与える違和感がより少なくなり、被写体から撮像装置を認識しづらくすることができる。
【００２２】
請求項７に記載の撮像装置は、請求項４から６のいずれかに記載の撮像装置において、前記第２の表示手段は、前記第１の撮影レンズの周囲を囲むように前記装置本体の正面に設けられたことを特徴とする。
【００２３】
請求項７に記載の撮像装置によれば、第１の撮影レンズを囲むようにして第２の表示手段が設けられるため、被写体の上に撮像装置をかざして撮影をした場合においても、被写体に与える違和感がより少なくなり、被写体から撮像装置を認識しづらくすることができる。
【００２４】
請求項８に記載の撮像装置は、請求項４から７のいずれかに記載の撮像装置において、前記第２の対物レンズの中心と、前記第２の表示手段の中心とが略同一線上に配置されたことを特徴とする。
【００２５】
請求項８に記載の撮像装置によれば、第２の対物レンズの光軸と第２の表示手段の中心とが略同一線上にあるため、第２の表示手段に表示される風景画像と、装置本体の周辺の風景とをより精密に連続させることができる。
【００２６】
請求項９に記載の撮像装置は、請求項４から８のいずれかに記載の撮像装置において、前記第２の表示手段は、前記装置本体の正面全体を覆うように設けられたことを特徴とする。
【００２７】
請求項９に記載の撮像装置によれば、第２の表示手段が装置本体の正面全体を覆うため、被写体の上にデジタルカメラをかざして撮影をした場合においても、被写体に与える違和感が少なくなり、被写体からデジタルカメラを認識しづらくすることができる。
【００２８】
請求項１０に記載の撮像装置迷彩方法は、装置本体の正面に設けられた撮像手段により前記装置本体の背面側の被写体像を撮像するステップと、前記撮像された被写体像を記憶するステップと、前記記憶された被写体像を、前記撮影手段の周囲を囲むように前記装置本体の正面に設けられた表示手段に表示するステップと、を含むことを特徴とする。
【００２９】
請求項１０に記載の撮像装置迷彩方法によれば、装置本体の正面に設けられた撮像手段を用いて、装置本体の背面側の被写体像を撮像し、記録する。記録された被写体像が撮影手段の周囲を囲むように撮像装置の正面に設けられた表示手段に表示される。これにより、第２の撮像手段を設けることなく、撮像装置の色や明るさなどの外観を周辺環境に合わせることができる。そのため、構造を簡略化し、低価格化することができる。
【発明の効果】
【００３０】
本発明によれば、撮像装置本体の色や明るさを、撮像装置の色や明るさを撮像装置周辺の環境に合わせた色や明るさにすることにより、被写体から撮像装置を認識しづらくし、自然な撮影が可能な撮像装置を提供することができる。
【発明を実施するための最良の形態】
【００３１】
以下、添付図面に従って本発明が適用された撮像装置及び撮像装置迷彩方法を実施するための最良の形態について詳細に説明する。
【００３２】
＜第１の実施の形態＞
図１は第１の実施の形態の撮像装置のデジタルカメラ１の外観図であり、（ａ）正面図であり、（ｂ）は背面図である。この撮像装置は、レンズを通った光を撮像素子で受け、デジタル信号に変換して記憶メディアに記録するデジタルカメラである。
【００３３】
デジタルカメラ１は、装置本体１０と、グリップ部２０とで構成される。装置本体１０は、面積に対して厚みが小さい略円筒形状であり、その正面には、図１（ａ）に示すように、主として、第１レンズ１１と、第２モニタ１２とが配設される。一方、装置本体１０の背面には、図１（ｂ）に示すように、主として、第２レンズ１３と、第１モニタ１４と、メニューボタン１５と、レリーズボタン１６と、電源ボタン１７とが配設される。また、グリップ部２０には、ストラップ孔２２が配設される。
【００３４】
なお、図示しない装置本体１０の側面には、開閉自在なカバーを介してメモリカードスロットが設けられており、このメモリカードスロットにメモリカードが装填される。
【００３５】
第１レンズ１１は、第１撮像系１０１の第１レンズ群１２５ａ（図２参照、後に詳述）を構成する対物レンズであり、装置本体１０の正面略中央に配設される。第１レンズ群１２５ａは、花や昆虫の撮影に適するように、被写体に２０ｃｍ〜５０ｃｍ程度まで近接して撮影することのできる接写用のマクロレンズにより構成される。
【００３６】
第２レンズ１３は、第２撮像系１０２の第２レンズ群１２５ｂ（図２参照、後に詳述）を構成する対物レンズであり、第１レンズ１１が配設された面（正面）と対向する面（背面）の略中央に配設される。第２レンズ群１２５ｂは、風景の撮影に適したズームレンズにより構成される。
【００３７】
第１モニタ１４は、カラー表示が可能な液晶ディスプレイで構成され、装置本体１０の背面に配設される。第１モニタ１４は、再生モード時に撮影済み画像を表示するための画像表示パネルとして利用されるとともに、各種設定操作を行なう際のユーザインターフェース表示パネルとして利用される。また、撮影モード時には、必要に応じて第１撮像系１０１で撮像されたスルー画像が表示されて、画角確認用の電子ファインダとして利用される。
【００３８】
第２モニタ１２は、第１モニタ１４と同様に、カラー表示が可能な液晶ディスプレイで構成される。第２モニタ１２は、略中央に第１レンズ１１用の開口部を有する略円形の板状の部材であり、第１レンズ１１を囲むように装置本体１０の正面に配設される。第２モニタ１２は、その中心が第２レンズ１３の中心と略同一線上に位置するように配設される。第２モニタ１２は、装置本体１０の周縁を除く全面に配設されることが望ましいが、少なくとも装置本体１０の正面の面積の略半分を覆うように配設される。
【００３９】
第２モニタ１２は、撮影モード時には、必要に応じて第２撮像系１０２で撮像されたスルー画像が表示される。なお、第２モニタ１２は、再生モード時には使用しない。
【００４０】
メニューボタン１５は、撮影モード、再生モードなどの動作モードの切り替えを指示するボタンとして機能すると共に、各モードの通常画面からメニュー画面への遷移や選択内容の確定、処理の実行等を指示するボタンとして機能する。
【００４１】
レリーズボタン１６は、いわゆる「半押し」と「全押し」とからなる２段ストローク式のスイッチで構成されている。デジタルカメラ１は、このレリーズボタン１６が「半押し」されることにより、ＡＥ／ＡＦが作動し、「全押し」されることにより、撮影を実行する。
【００４２】
図２は、デジタルカメラ１内部の概略構成を示すブロック図である。
【００４３】
同図に示すように、デジタルカメラ１は、第１撮像系１０１（第１レンズ群１２５ａ、第１絞り１２６ａ、第１タイミングジェネレータ（ＴＧ）１２２ａ、第１撮像素子１２４ａ、第１アナログ処理部（ＣＤＳ／ＡＭＰ）１２８ａ、第１Ａ／Ｄ変換器１３０ａ、第１画像入力制御部１３２ａ）、第２撮像系１０２（第２レンズ群１２５ｂ、第２絞り１２６ｂ、第２タイミングジェネレータ（ＴＧ）１２２ｂ、第２撮像素子１２４ｂ、第２アナログ処理部（ＣＤＳ／ＡＭＰ）１２８ｂ、第２Ａ／Ｄ変換器１３０ｂ、第２画像入力制御部１３２ｂ）、ＣＰＵ１１０、メモリ１１２、ＶＲＡＭ１１４、ＲＯＭ１１６、ＥＥＰＲＯＭ１１８、操作部（メニューボタン１５、レリーズボタン１６、電源ボタン１７等）１２０、ＡＦ検出部１４０、ＡＥ／ＡＷＢ検出部１４２、第１絞り駆動部１４４ａ、第２絞り駆動部１４４ｂ、第１レンズ駆動部１４６ａ、第２レンズ駆動部１４６ｂ、メディア制御部１５０、第１ビデオエンコーダ１５２、第２ビデオエンコーダ１５３等で構成される。
【００４４】
ＣＰＵ１１０は、操作部１２０から入力される操作信号に基づき所定の制御プログラムに従ってデジタルカメラ１の全体を統括制御する。
【００４５】
バスを介してＣＰＵ１１０と接続されたＲＯＭ１１６には、このＣＰＵ１１０が実行する制御プログラム及び制御に必要な各種データ等が格納されており、ＥＥＰＲＯＭ１１８には、ユーザ設定情報等のデジタルカメラ１の動作に関する各種設定情報等が格納されている。また、メモリ（ＳＤＲＡＭ）１１２は、ＣＰＵ１１０の演算作業用領域として利用されるとともに、画像データ等の一時記憶領域として利用され、ＶＲＡＭ１１４は、画像データ専用の一時記憶領域として利用される。
【００４６】
第１撮像系１０１は、デジタルカメラ１正面にある被写体像を撮像するものであり、第２撮像系１０２は、デジタルカメラ２の背面側の風景画像を撮像するものである。第１撮像系１０１と第２撮像系１０２の構成及び作用は略同一であるため、第１撮像系１０１について説明し、第２撮像系１０２についての説明は省略する。
【００４７】
第１撮像素子１２４ａは、たとえば、所定のカラーフィルタ配列のカラーＣＣＤで構成されており、第１レンズ群１２５ａによって結像された被写体の画像を電子的に撮像する。タイミングジェネレータ（ＴＧ）１２２ａは、ＣＰＵ１１０からの指令に応じて、この第１撮像素子１２４ａを駆動するためのタイミング信号を出力する。
【００４８】
第１アナログ処理部１２８ａは、第１撮像素子１２４ａから出力された画像信号に対して、画素ごとのＲ、Ｇ、Ｂ信号をサンプリングホールド（相関二重サンプリング処理）するとともに、増幅して第１Ａ／Ｄ変換器１３０ａに出力する。
【００４９】
第１Ａ／Ｄ変換器１３０ａは、第１アナログ処理部１２８ａから出力されたアナログのＲ、Ｇ、Ｂ信号をデジタルのＲ、Ｇ、Ｂ信号に変換して出力する。
【００５０】
第１画像入力制御部１３２ａは、第１Ａ／Ｄ変換器１３０ａから出力されたデジタルのＲ、Ｇ、Ｂ信号をメモリ１１２に出力する。
【００５１】
画像信号処理部１３４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００５２】
圧縮伸張処理部１３６は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００５３】
ＡＦ検出部１４０は、Ｇ信号の高周波成分のみを通過させるハイパスフィルタ、絶対値化処理部、所定のフォーカスエリア（たとえば、画面中央部）内の信号を切り出すＡＦエリア検出部及びＡＦエリア内の絶対値データを積算する積算部から構成される。
【００５４】
ＡＥ／ＡＷＢ検出部１４２は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。
【００５５】
第１絞り駆動部１４４ａ及び第１レンズ駆動部１４６ａ、第２絞り駆動部１４４ｂ及び第２レンズ駆動部１４６ｂは、ＣＰＵ１１０からの指令に応じて第１レンズ群１２５ａ、第１絞り１２６ａの動作を制御する。
【００５６】
メディア制御部１５０は、ＣＰＵ１１０からの指令に従い、メディアスロットに装填された記憶メディア３５に対してデータの読み／書きを制御する。
【００５７】
第１ビデオエンコーダ１５２は、ＣＰＵ１１０からの指令に従い、第１モニタ１４への表示を制御する。すなわち、ＣＰＵ１１０からの指令に従い、圧縮伸張処理部１３６から入力された画像信号を第１モニタ１４に表示するための映像信号（たとえば、ＮＴＳＣ信号やＰＡＬ信号、ＳＣＡＭ信号）に変換して第１モニタ１４に出力する。
【００５８】
第２ビデオエンコーダ１５３は、ＣＰＵ１１０からの指令に従い、第２モニタ１２への表示を制御する。すなわち、ＣＰＵ１１０からの指令に従い、圧縮伸張処理部１３６ｂから入力された画像信号を第２モニタ１２に表示するための映像信号（たとえば、ＮＴＳＣ信号やＰＡＬ信号、ＳＣＡＭ信号）に変換して第２モニタ１２に出力する。
【００５９】
次に、以上のように構成された本実施の形態のデジタルカメラ１の作用について説明する。まず、撮影の準備段階、すなわち第１モニタ１４及び第２モニタ１２にスルー画像（リアルタイムに表示される画像）を表示する段階について説明する。
【００６０】
電源ボタン１７を撮影位置に合わせることで、撮影モードに設定され、撮影が可能になる。そして、撮影モードに設定されることにより撮影スタンバイ状態になる。
【００６１】
この撮影モードの下、第１レンズ１１を通過した被写体光は、第１絞り１２６ａを介して第１撮像素子１２４ａの受光面に結像される。第１撮像素子１２４ａの受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。第１レンズ１１を通過した被写体光は、各フォトダイオードによって受光され、入射光量に応じた量の信号電荷に変換される。
【００６２】
各フォトダイオードに蓄積された信号電荷は、第１タイミングジェネレータ（ＴＧ）１２２ａから与えられる駆動パルスに基づいて信号電荷に応じた電圧信号（画像信号）として順次読み出され、第１アナログ処理部（ＣＤＳ／ＡＭＰ）１２８ａに加えられる。
【００６３】
第１アナログ処理部１２８ａから出力されたアナログのＲ、Ｇ、Ｂ信号は、第１Ａ／Ｄ変換器１３０ａでデジタルのＲ、Ｇ、Ｂ信号に変換され、第１画像入力制御部１３２ａに加えられる。
【００６４】
第１画像入力制御部１３２ａは、第１Ａ／Ｄ変換器１３０ａから出力されたデジタルのＲ、Ｇ、Ｂ信号をＡＦ検出部１４０に入力する。ＣＰＵ１１０は、ＡＦ検出部１４０で算出された積算値のデータに基づいて、第１レンズ駆動部１４６ａを制御して第１レンズ群１２５ａを移動させて、焦点距離ｆを測定し、被写体にピントをあわせる。
【００６５】
また、第１画像入力制御部１３２ａは、第１Ａ／Ｄ変換器１３０ａから出力されたデジタルのＲ、Ｇ、Ｂ信号をメモリ１１２に出力する。第１画像入力制御部１３２ａからメモリ１１２に出力された画像信号より画像信号処理部１３４で輝度／色差信号が生成され、その信号が第１ビデオエンコーダ１５２に送られる。ビデオエンコーダ１５２は、入力された輝度／色差信号を表示用の信号形式（たとえばＮＴＳＣ方式のカラー複合映像信号）に変換し、第１モニタ１４に出力する。これにより、第１撮像素子１２４ａで撮像された画像が第１モニタ１４に表示される。
【００６６】
第１撮像素子１２４ａから画像信号を定期的に取り込み、その画像信号から生成される輝度／色差信号によってＶＲＡＭ１１４内の画像データを定期的に書き換え、第１モニタ１４に出力することにより、第１撮像素子１２４ａで撮像される画像（図３に示す撮影シーンにおいてはクワガタが拡大表示された画像）が第１モニタ１４にリアルタイムに表示される。ユーザは、この第１モニタ１４にリアルタイムに表示される画像（スルー画像）を見ることにより、撮影画角を確認する。
【００６７】
このようにして第１撮像素子１２４ａで撮像される画像を第１モニタ１４にリアルタイムに表示するのと同時に、第２レンズ１３を通過した被写体光が、第２絞り１２６ｂを介して第２撮像素子１２４ｂの受光面に結像される。
【００６８】
第２撮像素子１２４ｂの受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。第２レンズ１３を通過した被写体光は、各フォトダイオードによって受光され、入射光量に応じた量の信号電荷に変換される。
【００６９】
各フォトダイオードに蓄積された信号電荷は、第２タイミングジェネレータ（ＴＧ）１２２ｂから与えられる駆動パルスに基づいて信号電荷に応じた電圧信号（画像信号）として順次読み出され、第２アナログ処理部（ＣＤＳ／ＡＭＰ）１２８ｂに加えられる。
【００７０】
第２アナログ処理部１２８ｂから出力されたアナログのＲ、Ｇ、Ｂ信号は、第２Ａ／Ｄ変換器１３０ｂでデジタルのＲ、Ｇ、Ｂ信号に変換され、第２画像入力制御部１３２ｂに加えられる。
【００７１】
デジタルのＲ、Ｇ、Ｂ信号は、第２画像入力制御部１３２ｂからＣＰＵ１１０に入力される。ＣＰＵ１１０は、測定された焦点距離ｆと、第２モニタ１２の大きさ（予めＥＥＰＲＯＭ１１８に記憶されている）とに基づいて、被写体の位置からデジタルカメラ１の周辺を見た場合に、第２モニタ１２により遮られる範囲（以下、第２撮像系１０２の撮影範囲という）の画像が第２モニタ１２に表示されるように（図３参照）第２モニタ１２に表示する画像の倍率を算出する。
【００７２】
そして、ＣＰＵ１１０は、算出された倍率に基づいて、第２レンズ駆動部１４６ｂを介して第２レンズ群１２５ｂを移動させる。すなわち、ＣＰＵ１１０は、図３（ａ）に示すように、測定された焦点距離ｆが近い場合には、第２撮像系１０２の撮影範囲を広くし、図３（ｂ）に示すように、測定された焦点距離ｆが遠い場合には、第２撮像系１０２の撮影範囲を狭くするように、第２レンズ群１２５ｂを移動させる。これにより、第２モニタ１２に表示する画像の倍率が変更される。
【００７３】
ここで、第２撮像系１０２の撮影範囲について具体例を用いて説明する。図４は、虫（クワガタ）の撮影シーンを撮影者から見た風景を示す。図５、図６は、図４に示す撮影シーンにおける被写体とデジタルカメラ１との位置関係を示す。
【００７４】
図５に示す撮影シーンにおいては、クワガタは地面上におり、撮影者はクワガタを斜め上方から撮影している、すなわち装置本体の背面、すなわち第２レンズ１３は斜め上方を向いている。そして、図５の点線で示すように、第２撮像系１０２の撮影範囲には、木などの障害物が無い。そのため、第２撮像素子１２４ｂには、空の風景画像、例えば青色の画像のみが結像される。
【００７５】
それに対し、図６に示す撮影シーンにおいては、第２レンズ１３が斜め上方を向いている点については図５に示す撮影シーンと同じであるが、図６の点線で示すように、第２撮像系１０２の撮影範囲に木が含まれる。この場合には、光学ルーペの場合と同様に、被写体から見た時の木の輪郭と、第２モニタ１２に表示された木の輪郭とがずれることにより、図１３（ｂ）に示すように、被写体から見て空間的な違和感が発生する恐れがある。そのため、ＣＰＵ１１０は、測定された焦点距離ｆと、第２モニタ１２の大きさとに基づいて第２レンズ群１２５ｂを移動させて、撮影範囲を変更する。この結果、第２撮像素子１２４ｂには、焦点距離ｆに応じた大きさの木が含まれた空の風景画像が結像される。
【００７６】
同時に、デジタルのＲ、Ｇ、Ｂ信号は、第２画像入力制御部１３２ｂからＡＥ／ＡＷＢ検出部１４２に入力される。ＣＰＵ１１０は、ＡＥ／ＡＷＢ検出部１４２から得た積算値に基づいて被写体の明るさ（被写体輝度）を検出する。そして、ＣＰＵ１１０は、検出された被写体輝度に基づいて第２絞り駆動部１４４ｂを制御し、被写体の位置から見たデジタルカメラ１の周辺の明るさと、被写体の位置から見た第２モニタ１２の明るさとが略一致するような露光量で第２撮像素子１２４ｂを露光する。
【００７７】
また、デジタルのＲ、Ｇ、Ｂ信号は、第２画像入力制御部１３２ｂからメモリ１１２に入力される。この画像信号は、画像信号処理部１３４に送られ、画像信号処理部１３４において輝度／色差信号が生成される。画像信号処理部１３４において生成された輝度／色差信号は、第２ビデオエンコーダ１５３に送られる。ビデオエンコーダ１５３は、入力された輝度／色差信号を表示用の信号形式（たとえばＮＴＳＣ方式のカラー複合映像信号）に変換し、第２モニタ１２に出力する。
【００７８】
これにより、第２撮像素子１２４ｂで撮像された画像が、被写体から見て違和感の無い明るさで第２モニタ１２に表示される。例えば、図５に示す撮影シーンにおいては、図７に示すように、被写体の位置から見た場合に、デジタルカメラ１の周辺の色及び明るさと、第２モニタ１２に表示された画像の色及び明るさとが、略同じとなるように、第２モニタ１２にスルー画像が表示される。
【００７９】
また、図６に示す撮影シーンにおいては、図８に示すように、被写体の位置から見た場合に、デジタルカメラ１の周辺の空の色及び明るさと、第２モニタ１２に表示された風景画像の空の部分の色及び明るさとが、略同じとなるように、かつデジタルカメラ１の周辺の木の輪郭と、第２モニタ１２に表示された画像の木の部分の輪郭とが略一致するように第２モニタ１２にスルー画像が表示される。
【００８０】
これにより、被写体の位置から見て、第２モニタ１２に表示された画像と、デジタルカメラ１周辺の風景とが連続性を有し、かつ第２モニタ１２の明るさとデジタルカメラ１周辺の明るさとが略一致するため、被写体の上にデジタルカメラ１をかざして撮影をした場合においても、被写体に与える違和感が少なくなり、被写体からデジタルカメラ１を認識しづらくすることができる。
【００８１】
次に、撮影、記録の段階について説明する。撮影段階では、ＣＰＵ１１０は、第２撮像系１０２は駆動せず、第１撮像系１０１のみ駆動する。
【００８２】
撮影はレリーズボタン１６の押下によって行なわれる。レリーズボタン１６が半押しされると、Ｓ１ＯＮ信号がＣＰＵ１１０に入力され、第１画像入力制御部１３２ａを介して第１撮像素子１２４ａから取り込まれた画像信号が、ＡＦ検出部１４０並びにＡＥ／ＡＷＢ検出部１４２に入力される。
【００８３】
ＣＰＵ１１０は、ＡＦ検出部１４０で算出された積算値のデータに基づいて第１レンズ群１２５ａを移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、第１レンズ駆動部１４６ａを制御する。
【００８４】
ＣＰＵ１１０は、ＡＥ／ＡＷＢ検出部１４２から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い第１撮像素子１２４ａの電子シャッターと第１絞り駆動部１４４ａを制御して適正な露光量を得る。
【００８５】
また、ＡＥ／ＡＷＢ検出部１４２は、自動ホワイトバランス調整時、分割エリアごとにＲ、Ｇ、Ｂ信号の色別の平均積算値を算出し、その算出結果をＣＰＵ１１０に提供する。
【００８６】
ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００８７】
この後、レリーズボタン１６が全押しされると、ＣＰＵ１１０にＳ２ＯＮ信号が入力され、ＣＰＵ１１０は、測光結果に基づき決定されたシャッター速度、絞り値で第１撮像素子１２４ａを露光する。
【００８８】
第１撮像素子１２４ａから出力された画像信号は、第１アナログ処理部１２８ａ、第１Ａ／Ｄ変換器１３０ａ、第１画像入力制御部１３２ａを介してメモリ１１２に取り込まれ、画像信号処理部１３４において輝度／色差信号に変換されたのち、メモリ１１２に格納される。
【００８９】
メモリ１１２に格納された画像データは、圧縮伸張処理部１３６に加えられ、所定の圧縮フォーマット（たとえばＪＰＥＧ形式）に従って圧縮された後、メモリ１１２に格納され、所定の画像記録フォーマット（たとえばＥｘｉｆ形式）の画像ファイルとされたのち、メディア制御部１５０を介して記憶メディア１５２に記録される。
【００９０】
本実施の形態によれば、デジタルカメラ背面に配設された撮像手段により撮像された画像をデジタルカメラ正面に配設されたモニタに表示することにより、デジタルカメラの色や明るさなどの外観を周辺環境に合わせ、被写体から気づかれにくい背景を作り出すことができる。これにより、被写体の上にデジタルカメラをかざして撮影をした場合においても、被写体に与える違和感が少なくなり、被写体からデジタルカメラを認識しづらくすることができる。したがって、このデジタルカメラを用いることで、自然なマクロ撮影が可能となる。
【００９１】
なお、本実施の形態では、第２撮像系１０２で撮影したスルー画像を第２モニタ１２に表示したが、第２撮像系１０２で撮影した画像を記憶メディア１５２に記録し、記録された画像を用いてもよい。また、図９に示すように、被写体の視野に入るであろうと思われる風景画像を第１撮像系１０１で予め撮影して記憶メディア１５２に記録しておき、記録された画像を第２モニタ１２に表示するようにしてもよい。この場合には、第２撮像系１０２を設ける必要が無いため、構造を簡略化し、低価格化することができる。
【００９２】
また、本実施の形態では、ＣＰＵ１１０で測定された焦点距離ｆに基づいて第２撮像系１０２の撮影範囲を調整することにより、第２モニタ１２に表示する画像の倍率を変更したが、第２モニタ１２に表示する画像の倍率を変更する方法はこれに限らず、広角で風景画像を撮影し、焦点距離ｆに応じた倍率で切り出した画像を第２モニタ１２に表示するようにしてもよい。
【００９３】
また、本実施の形態では、焦点距離ｆと第２モニタ１２の大きさとに基づいて、第２モニタ１２に表示する画像の倍率を変更したが、第２モニタ１２が装置本体１０の周縁を除く全面に第２モニタ１２が設けられている場合には、第２モニタ１２の代わりに装置本体１０の大きさを用いて第２モニタ１２に表示する画像の倍率を算出するようにしてもよい。
【００９４】
また、本実施の形態では、面積に対して厚みが小さい略円筒形状の装置本体１０を例に説明したが、装置本体の形状は略円筒形状に限らず、略角柱形状や多面体などの様々な形状を用いることができる。また、本実施の形態では、装置本体の形状に合わせて、略円形の板状の第２モニタ１２を用いたが、略矩形など様々な形状のものを用いることができる。
【００９５】
＜第２の実施の形態＞
第１の実施の形態は、デジタルカメラの背面に撮像手段を設け、撮像手段により撮像された画像をデジタルカメラ正面に配設されたモニタに表示することにより、デジタルカメラの色や明るさなどの外観を周辺環境に合わせたが、デジタルカメラの色や明るさなどの外観を周辺環境に合わせる方法はこれに限らない。
【００９６】
本発明の第２の実施の形態は、デジタルカメラの正面に面発光部材を設け、面発光部材を周辺環境に合わせた色や明るさで発光させる形態である。以下、第２の実施の形態のデジタルカメラ２について説明する。なお、第１の実施の形態と同一の部分については、同一の符号を付し、説明を省略する。
【００９７】
図１０は第２の実施の形態の撮像装置のデジタルカメラ２の外観図であり、（ａ）正面図であり、（ｂ）は背面図である。デジタルカメラ２は、装置本体１０と、グリップ部２０とで構成される。装置本体１０は、面積に対して厚みが小さい略円筒形状であり、その正面には、図１０（ａ）に示すように、主として、第１レンズ１１と、面発光部材３１とが配設される。一方、装置本体１０の背面には、図１０（ｂ）に示すように、主として、第１モニタ１４と、メニューボタン１５と、レリーズボタン１６と、電源ボタン１７と、明るさセンサ３２と、色センサ３３とが配設される。
【００９８】
図１１は、デジタルカメラ２内部の概略構成を示すブロック図である。デジタルカメラ２は、図１１に示すように、面発光部材３１、明るさセンサ３２、色センサ３３、第１撮像系１０１（第１レンズ群１２５ａ、第１絞り１２６ａ、第１タイミングジェネレータ（ＴＧ）１２２ａ、第１撮像素子１２４ａ、第１アナログ処理部（ＣＤＳ／ＡＭＰ）１２８ａ、第１Ａ／Ｄ変換器１３０ａ、第１画像入力制御部１３２ａ）、ＣＰＵ１１０、メモリ１１２、ＶＲＡＭ１１４、ＲＯＭ１１６、ＥＥＰＲＯＭ１１８、操作部（メニューボタン１５、レリーズボタン１６、電源ボタン１７等）１２０、ＡＦ検出部１４０、ＡＥ／ＡＷＢ検出部１４２、第１絞り駆動部１４４ａ、第１レンズ駆動部１４６ａ、メディア制御部１５０、第１ビデオエンコーダ１５２、第２ビデオエンコーダ１５３等で構成される。
【００９９】
面発光部材３１は、有機ＥＬなどの任意の色及び明るさで発光が可能な板状の部材である。面発光部材３１は、略中央に第１レンズ１１用の開口部が形成され、第１レンズ１１を囲むように装置本体１０の正面に配設される。面発光部材３１は、装置本体１０の周縁を除く全面に配設されることが望ましいが、少なくとも装置本体１０の正面の面積の略半分を覆うように配設される。
【０１００】
明るさセンサ３２は、デジタルカメラ２の背面側の周辺光量を測定するセンサである。明るさセンサ３２で測定された光量は、ＣＰＵ１１０に入力される。
【０１０１】
色センサ３３は、デジタルカメラ２の背面に入射する光のＲ、Ｇ、Ｂそれぞれの光の強度が測定可能なセンサである。色センサ３３で検出されたＲ、Ｇ、Ｂそれぞれの光の強度は、ＣＰＵ１１０に入力される。
【０１０２】
次に、以上のように構成された本実施の形態のデジタルカメラ２の作用について説明する。撮影、記録の段階については、第１の実施の形態と同一であるため、撮影の準備段階、すなわち第１モニタ１４にスルー画像を表示すると共に、面発光部材３１を発光させる段階について説明する。
【０１０３】
電源ボタン１７を撮影位置に合わせることで、撮影モードに設定され、撮影が可能になる。そして、撮影モードに設定されることにより撮影スタンバイ状態になる。
【０１０４】
この撮影モードの下、第１レンズ１１を通過した被写体光は、第１絞り１２６ａを介して第１撮像素子１２４ａの受光面に結像される。第１レンズ１１を通過した被写体光は、各フォトダイオードによって受光され、入射光量に応じた量の信号電荷に変換される。
【０１０５】
各フォトダイオードに蓄積された信号電荷は、第１タイミングジェネレータ（ＴＧ）１２２ａから与えられる駆動パルスに基づいて信号電荷に応じた電圧信号（画像信号）として順次読み出され、第１アナログ処理部（ＣＤＳ／ＡＭＰ）１２８ａに加えられる。
【０１０６】
第１アナログ処理部１２８ａから出力されたアナログのＲ、Ｇ、Ｂ信号は、第１Ａ／Ｄ変換器１３０ａでデジタルのＲ、Ｇ、Ｂ信号に変換され、第１画像入力制御部１３２ａに加えられる。
【０１０７】
第１画像入力制御部１３２ａは、第１Ａ／Ｄ変換器１３０ａから出力されたデジタルのＲ、Ｇ、Ｂ信号をＡＦ検出部１４０に入力する。ＣＰＵ１１０は、ＡＦ検出部１４０で算出された積算値のデータに基づいて、第１レンズ駆動部１４６ａを制御して第１レンズ群１２５ａを移動させて、被写体にピントをあわせる。
【０１０８】
また、第１画像入力制御部１３２ａは、第１Ａ／Ｄ変換器１３０ａから出力されたデジタルのＲ、Ｇ、Ｂ信号をメモリ１１２に出力する。第１画像入力制御部１３２ａからメモリ１１２に出力された画像信号より画像信号処理部１３４で輝度／色差信号が生成され、その信号が第１ビデオエンコーダ１５２に送られる。ビデオエンコーダ１５２は、入力された輝度／色差信号を表示用の信号形式（たとえばＮＴＳＣ方式のカラー複合映像信号）に変換し、第１モニタ１４に出力する。これにより、第１撮像素子１２４ａで撮像された画像が第１モニタ１４に表示される。
【０１０９】
第１撮像素子１２４ａから画像信号を定期的に取り込み、その画像信号から生成される輝度／色差信号によってＶＲＡＭ１１４内の画像データを定期的に書き換え、第１モニタ１４に出力することにより、第１撮像素子１２４ａで撮像される画像が第１モニタ１４にリアルタイムに表示される。ユーザは、この第１モニタ１４にリアルタイムに表示される画像（スルー画像）を見ることにより、撮影画角を確認する。
【０１１０】
このようにして第１撮像素子１２４ａで撮像される画像を第１モニタ１４にリアルタイムに表示するのと同時に、ＣＰＵ１１０は、明るさセンサ３２で測定された周辺光量及び色センサ３３で検出されたＲ、Ｇ、Ｂそれぞれの光の強度を取得する。
【０１１１】
ＣＰＵ１１０は、色センサ３３で検出された結果に基づいて、被写体の位置から見た場合に、デジタルカメラ２の周辺の色と、面発光部材３１の色とが略同じとなるように、面発光部材３１を発光させる色を決定する。
【０１１２】
また、ＣＰＵ１１０は、明るさセンサ３２で測定された周辺光量に基づいて、デジタルカメラ２の周辺の明るさと、面発光部材３１の明るさとが略同じとなるように、面発光部材３１を発光させる明るさを決定する。
【０１１３】
これにより、被写体上にデジタルカメラ２による影ができたり、面発光部材３１により被写体が照らされたりすること無く、被写体から見て違和感の無い色及び明るさで面発光部材３１を発光することができる。
【０１１４】
本実施の形態によれば、デジタルカメラの周辺環境に合わせてデジタルカメラ正面に配設された面発光部材を発光することにより、デジタルカメラの色や明るさなどの外観を周辺環境に合わせることができる。これにより、被写体の上にデジタルカメラをかざして撮影をした場合においても、被写体に与える違和感が少なくなり、被写体からデジタルカメラを認識しづらくすることができる。したがって、このデジタルカメラを用いることで、自然なマクロ撮影が可能となる。
【０１１５】
なお、本実施の形態では、面発光部材３１として任意の色及び明るさで発光が可能な発光部材を用いたが、明るさが任意に変更可能な単色（例えば白色）の発光部材を用いてもよい。虫を被写体とする場合には、空（ほとんど白）が再現されるだけでも充分な効果が期待できる。この場合には、色センサ３３を省略できるため、構造を簡略化することができるうえ、コストダウンすることができる。
【０１１６】
また、本実施の形態では、面発光部材３１として有機ＥＬを用いたが、３色（Ｒ、Ｇ、Ｂ）のＬＥＤと、ＬＥＤの光を拡散して均一に面発光させるためのディフューザとで構成された面発光部材を用いてもよい。この場合には、ディフューザにより拡散される光の面積を装置本体１０の周縁を除く全面にＬＥＤの光が拡散されることが望ましいが、少なくとも装置本体１０の正面の面積の略半分にＬＥＤの光を拡散するようにすればよい。
【０１１７】
また、本実施の形態では、装置本体の形状に合わせて略円形の面発光部材を用いたが、略円形に限らず、略矩形など様々な形状の面発光部材を用いることができる。
【０１１８】
なお、本発明の適用は、デジタルカメラに限定されるものではなく、カメラつき携帯電話機やビデオカメラ等の撮像装置にも同様に適用することができる。また、デジタルカメラなどの装置に適用するプログラムとして提供することもできる。
【図面の簡単な説明】
【０１１９】
【図１】本発明が適用されたデジタルカメラ１の外観構成を示す図であり、(ａ)は正面図、（ｂ）は背面図である。
【図２】上記デジタルカメラ１の電気的構成を示すブロック図である。
【図３】焦点距離ｆと撮影範囲との関係を示す図であり、(ａ)は焦点距離ｆが近い場合を示し、（ｂ）は焦点距離ｆが遠い場合を示す。
【図４】虫（クワガタ）の撮影シーンを撮影者から見た風景を示す図である。
【図５】図３に示す撮影シーンにおける被写体とデジタルカメラ１との位置関係を示す図である。
【図６】図３に示す撮影シーンにおける被写体とデジタルカメラ１との位置関係を示す図である。
【図７】被写体とデジタルカメラ１との位置関係がそれぞれ図４に示す場合において、被写体の位置から見た風景を示す図である。
【図８】被写体とデジタルカメラ１との位置関係がそれぞれ図５に示す場合において、被写体の位置から見た風景を示す図である。
【図９】被写体の位置から見た風景を示す図である。
【図１０】本発明が適用されたデジタルカメラ２の外観構成を示す図であり、(ａ)は正面図、（ｂ）は背面図である。
【図１１】上記デジタルカメラ２の電気的構成を示すブロック図である。
【図１２】従来の撮像装置を用いて虫を被写体とする撮影シーンを示す図であり、（ａ）は撮影者から見た風景を示し、（ｂ）は虫から見た風景を示す。
【図１３】従来の光学ルーペを用いて虫を観察するシーンを示す図であり、（ａ）は撮影者から見た風景を示し、（ｂ）は虫から見た風景を示す。
【符号の説明】
【０１２０】
１：デジタルカメラ、１０：装置本体、１１：第１レンズ、１２：第２モニタ、１３：第２レンズ、１４：第１モニタ、１５：メニューボタン、１６：レリーズボタン、１７：電源ボタン、２０：グリップ部、２２：ストラップ孔、３１：面発光部材、３２：明るさセンサ、３３：色センサ、１０１：第１撮像系、１０２：第２撮像系、１１０：ＣＰＵ、１１２：メモリ、１１４：ＶＲＡＭ、１１６：ＲＯＭ、１１８：ＥＥＰＲＯＭ、１２０：、操作部、１２５ａ：第１レンズ群、１２５ｂ：第２レンズ群、１４０：ＡＦ検出部、１４２：ＡＥ／ＡＷＢ検出部、１５０：メディア制御部、１５２：第１ビデオエンコーダ、１５３：第２ビデオエンコーダ
【図１】
0004887325.tif 000002
【図２】
0004887325.tif 000003
【図３】
0004887325.tif 000004
【図４】
0004887325.tif 000005
【図５】
0004887325.tif 000006
【図６】
0004887325.tif 000007
【図７】
0004887325.tif 000008
【図８】
0004887325.tif 000009
【図９】
0004887325.tif 000010
【図１０】
0004887325.tif 000011
【図１１】
0004887325.tif 000012
【図１２】
0004887325.tif 000013
【図１３】
0004887325.tif 000014